(57)【要約】  靴と組み合わせたときに足が所望の状態に保持されるようにすることができるインソール設計システムと、靴と、靴とインソールの組み合わせ方法とを提供する。  インソール設計システム（５０）は、靴データベース（７０）と、インソール設計部（６４）とを備える。インソール設計部（６４）は、（ｉ）足の三次元形状のデータである足データの入力を受け付け、（ii）靴データベース（７０）から、靴の内部空間の三次元形状のデータである靴データを読み出し、（iii）足データと靴データとに基づいて、靴の内部空間に足が配置される状態において内部空間の内周面と足との間に形成される隙間の三次元形状を算出し、（iv）隙間の三次元形状に基づいて、インソールの初期形状を決定し、（ｖ）設計パラメータの入力を受け、設計パラメータに応じて、インソールの初期形状を修正した三次元形状を算出する。
2017057388.tif 000002
【特許請求の範囲】
【請求項１】
靴の型番と、前記靴の内部空間の三次元形状のデータである靴データとを関連付けて記憶する靴データベースと、
インソール設計部と、
を備え、
前記インソール設計部は、
足の三次元形状のデータである足データの入力を受け付け、
前記型番の入力を受け付け、入力を受け付けた前記型番と関連付けて記憶されている前記靴データを前記靴データベースから読み出し、
入力を受け付けた前記足データと読み出した前記靴データとに基づいて、前記靴の前記内部空間に前記足が配置される状態において前記内部空間の内周面と前記足との間に形成される隙間の三次元形状を算出し、
算出した前記隙間の前記三次元形状に基づいて、インソールの初期形状を決定し、
前記インソールの前記初期形状を変更する設計パラメータの入力を受け、入力を受け付けた前記設計パラメータに応じて、前記インソールの前記初期形状を修正した三次元形状を算出する、
ことを特徴とする、インソール設計システム。
【請求項２】
識別子と、前記足データとを関連付けて記憶する足データベースと、
前記識別子の入力を受け付け、入力を受け付けた前記識別子と関連付けて記憶されている前記足データを前記足データベースから読み出し、読み出した前記足データを、前記インソール設計部に入力する足選択部と、
をさらに備えたことを特徴とする、請求項１に記載のインソール設計システム。
【請求項３】
予め決められた厚みの基準インソールを敷いた状態で履くと適合すると想定される足長と、足囲又は足幅とに基づいてサイズが決定された靴であって、
請求項１又は２のインソール設計システムの前記靴データベースに、前記靴の前記型番と、前記靴の前記靴データとが関連付けて記憶されていることを特徴とする、靴。
【請求項４】
複数の靴の内部空間の三次元形状のデータである靴データが蓄積された靴データベースを準備する第１の工程と、
前記靴データベースに前記靴データが蓄積された複数の前記靴から一つの前記靴を選択し、選択された前記靴の前記靴データを前記靴データベースから読み出す第２の工程と、
選択された前記靴の使用者の足の三次元形状のデータである足データを準備する第３の工程と、
読み出した前記靴データと準備した前記足データとに基づいて、前記靴の前記内部空間に前記足が配置された状態で、前記内部空間内において前記足のまわりに形成される隙間の三次元形状を算出し、前記隙間に配置されるように前記インソールの三次元形状を決定する第４の工程と、
決定された前記三次元形状の前記インソールを製造する第５の工程と、
選択された前記靴と、製造された前記インソールとを組み合わせる第６の工程と、
を備えたことを特徴とする、靴とインソールの組み合わせ方法。
【請求項５】
前記第３の工程において、予め前記足データが蓄積された足データベースから、選択された前記靴の使用者の前記足データを読み出すことによって、前記足データを準備することを特徴とする、請求項４に記載の靴とインソールの組み合わせ方法。
【発明の詳細な説明】
【技術分野】
【０００１】
本発明は、インソール設計システム、靴、靴とインソールの組み合わせ方法に関し、詳しくは、靴の中に敷くインソール（中敷）を設計するためのインソール設計システム、靴、靴とインソールの組み合わせ方法に関する。
【背景技術】
【０００２】
足の寸法に応じてインソールを個別に設計することができるインソール設計システムが提案される（例えば、特許文献１参）。
【先行技術文献】
【特許文献】
【０００３】
【特許文献１】国際公開第２０１４／０４２０９４号
【発明の概要】
【発明が解決しようとする課題】
【０００４】
インソールの適宜箇所に凹凸形状を追加することによって、足の傾きやアーチ等を調整し、足が所望の状態に保持されるようにすることが可能である。【０００５】
しかしながら、インソールは靴と組み合わせて使用される。そのため、例えば靴にインソールを敷いた状態で足が窮屈であれば、足が所望の状態に保持されるようにすることは難しい。大きめのサイズの靴を選択するにしても、どの程度大きめのサイズにすればよいかの判断が難しい。また、大きめのサイズの靴では、履いたときに前後か左右のいずれかがどうしても大きくなり、足に靴が合う理想状態から外れる。【０００６】
本発明は、かかる事情に鑑みて、靴とインソールとを組み合わせたときに足が所望の状態に保持されるようにすることができる、インソール設計システムと、靴と、靴とインソールの組み合わせ方法とを提供しようとするものである。
【課題を解決するための手段】
【０００７】
本発明は、上記課題を解決するために、以下のように構成したインソール設計システムを提供する。【０００８】
インソール設計システムは、（ａ）靴の型番と、前記靴の内部空間の三次元形状のデータである靴データとを関連付けて記憶する靴データベースと、（ｂ）インソール設計部と、を備える。前記インソール設計部は、（ｉ）足の三次元形状のデータである足データの入力を受け付け、（ii）前記型番の入力を受け付け、入力を受け付けた前記型番と関連付けて記憶されている前記靴データを前記靴データベースから読み出し、（iii）入力を受け付けた前記足データと読み出した前記靴データとに基づいて、前記靴の前記内部空間に前記足が配置される状態において前記内部空間の内周面と前記足との間に形成される隙間の三次元形状を算出し、（iv）算出した前記隙間の前記三次元形状に基づいて、インソールの初期形状を決定し、（ｖ）前記インソールの前記初期形状を変更する設計パラメータの入力を受け、入力を受け付けた前記設計パラメータに応じて、前記インソールの前記初期形状を修正した三次元形状を算出する。【０００９】
上記構成によれば、内部空間の内周面と足との間に形成される隙間の三次元形状を考慮して、インソールの設計パラメータを選択することによって、靴と組み合わせたときに足が所望の状態に保持されるようにインソールを設計することができる。【００１０】
好ましくは、インソール設計システムは、（ｃ）識別子と、前記足データとを関連付けて記憶する足データベースと、（ｄ）前記識別子の入力を受け付け、入力を受け付けた前記識別子と関連付けて記憶されている前記足データを前記足データベースから読み出し、読み出した前記足データを、前記インソール設計部に入力する足選択部と、をさらに備える。【００１１】
この場合、足データベースに記憶された足データを、インソールの設計に利用することができる。【００１２】
また、本発明は、以下のように構成された靴を提供する。【００１３】
予め決められた厚みの基準インソールを敷いた状態で履くと適合すると想定される足長と、足囲又は足幅とに基づいてサイズが決定された靴である。上記各構成のインソール設計システムの前記靴データベースに、前記靴の前記型番と、前記靴の前記靴データとが関連付けて記憶されている。【００１４】
この靴と組み合わせたときに足が所望の状態に保持されるようにインソールを設計することが容易である。この靴は、インソールと組み合わせるのに好適なサイズを容易に選択することができる。【００１５】
また、本発明は、上記課題を解決するために、以下のように構成した靴とインソールの組み合わせ方法を提供する。【００１６】
靴とインソールの組み合わせ方法は、（ｉ）複数の靴の内部空間の三次元形状のデータである靴データが蓄積された靴データベースを準備する第１の工程と、（ii）前記靴データベースに前記靴データが蓄積された複数の前記靴から一つの前記靴を選択し、選択された前記靴の前記靴データを前記靴データベースから読み出す第２の工程と、（iii）選択された前記靴の使用者の足の三次元形状のデータである足データを準備する第３の工程と、（iv）読み出した前記靴データと準備した前記足データとに基づいて、前記靴の前記内部空間に前記足が配置された状態で、前記内部空間内において前記足のまわりに形成される隙間の三次元形状を算出し、前記隙間に配置されるように前記インソールの三次元形状を決定する第４の工程と、（ｖ）決定された前記三次元形状の前記インソールを製造する第５の工程と、（vi）選択された前記靴と、製造された前記インソールとを組み合わせる第６の工程と、を備える。【００１７】
上記方法によれば、靴と組み合わせたときに足が所望の状態に保持されるようにインソールを設計することができ、足、靴、インソールのトータルのバランスを最適化し、機能面やデザイン面で優れた靴とインソールの組み合わせを提供することができる。【００１８】
好ましくは、前記第３の工程において、予め前記足データが蓄積された足データベースから、選択された前記靴の使用者の前記足データを読み出すことによって、前記足データを準備する。【００１９】
この場合、足データベースに記憶された足データを、インソールの設計に利用することができる。
【発明の効果】
【００２０】
本発明によれば、靴とインソールとを組み合わせたときに足が所望の状態に保持されるようにすることができる。
【図面の簡単な説明】
【００２１】
【図１】図１はインソール設計システムのブロック図である。（実施例１）
【図２】図２は靴の説明図である。（実施例１）
【図３】図３は足の説明図である。（実施例１）
【図４】図４は動作のフローチャートである。（実施例１）
【図５】図５は内部空間に足が配置された状態の説明図である。（実施例１）
【図６】図６は隙間の説明図である。（実施例１）
【図７】図７はインソールの説明図である。（実施例１）
【図８】図８は靴の説明図である。（実施例２）
【図９】図９は靴の説明図である。（説明例１）
【発明を実施するための形態】
【００２２】
以下、本発明の実施の形態について、図面を参照しながら説明する。
【００２３】
＜実施例１＞  実施例１のインソール設計システム５０と、靴とインソールの組み合わせ方法とについて、図１〜図７を参照しながら説明する。
【００２４】
図１は、インソール設計システム５０のブロック図である。図１に示すように、インソール設計システム５０は、制御部６０に、ディスプレイ等の表示装置５２と、キーボードやペンタブレット等の入力装置５４と、プリンター等の出力装置５６と、通信装置５８と、記憶装置６２とが接続されている。
【００２５】
記憶装置６２には、靴データベース７０と、足データベース７２とが構成されている。
【００２６】
靴データベース７０は、靴の型番と、靴の内部空間の三次元形状のデータである靴データとを関連付けて記憶するデータベースである。靴データベース７０には、既成靴のみならず、木型を選ぶセレクトオーダーシューズや、木型を個別に作製するフルオーダーシューズのデータを蓄積しても構わない。また、靴２０の内部空間の容積を、靴データベース７０に含めてもよい。
【００２７】
図２は、靴２０の内部空間３０の説明図である。図２に示すように、靴２０の内部空間３０の内周面は、天面３２と、靴２０の内底に対応する底面３６と、後端面３４とを含む。靴２０の内部空間３０の三次元形状のデータ（靴データ）は、次のように種々の方法で取得することが可能である。
（ａ）靴の製造に用いる靴型（木型、ラスト）を三次元計測した後、計測データを適宜に修正する。
（ｂ）靴の内部空間の寸法を測定器で測定し、内部空間を適宜な三次元形状で近似する。
（ｃ）座標計測機を用いて靴の内部空間の内周面の座標値を計測する。
（ｄ）Ｘ線ＣＴ装置等を用いて靴の断面を計測する。
（ｅ）靴の内部空間に充填した充填物を取り出して、三次元形状を計測する。
（ｆ）靴の外形（外表面）の三次元形状を計測し、靴の各部材の厚み分を差し引く。
【００２８】
足データベース７２は、識別子と、足の三次元形状のデータである足データとを関連付けて記憶するデータベースである。図３は、足２の説明図である。靴を履くと、指先３と踵６の間が靴の内部空間に収容され、足裏５が靴の内底に置かれ、甲４は靴で覆われる。足２の三次元形状のデータ（足データ）は、足２の三次元形状を適宜な方法で計測すして得ることができる。例えば、透明板上に足裏５が接する状態で、足２の甲４側と足裏５側とから三次元形状を計測し、計測データを合成する。
【００２９】
制御部６０は、各装置５２，５４，５６，５８，６２を制御し、データの受け取り、演算などの処理を加えて結果を出力するコンピュータであり、プログラムに従って動作する。
【００３０】
制御部６０は、インソール設計部６４と、足選択部６６と、データベース管理部６８とを含んでいる。インソール設計部６４は、靴の中に敷くインソールの三次元形状の設計を支援し、インソールを加工するための加工データを生成する。足選択部６６は、足データベース７２から足データを読み出し、読み出した足データをインソール設計部６４に入力する。データベース管理部６８は、靴データベース７０と足データベース７２について、データの追加、更新、削除等を管理する。
【００３１】
インソール設計システム５０は、外部の端末９０からアクセスできるように構成してもよい。例えば、通信装置５８が、ＬＡＮやインターネット等の通信網を介して、端末９０と接続される。端末９０に三次元計測装置９２が接続され、三次元計測装置９２で計測した足の三次元形状のデータ（足データ）を、端末９０からインソール設計システム５０にアップロードすることができるようにする。
【００３２】
次に、インソール設計システム５０の動作について、図４のフローチャートを参照しながら説明する。
【００３３】
（１）  まず、選択された靴の靴データと、その靴の使用者の足データとを準備する（Ｓ１０）。詳しくは、インソール設計部６４が、端末９０からアップロードされた足データの入力を受け付ける。あるいは、足選択部６６が、端末９０又は入力装置５４から足の識別子の入力を受け付け、入力を受け付けた識別子と関連付けて記憶されている足データを足データベース７２から読み出し、読み出した足データを、インソール設計部６４に入力する。インソール設計部６４は、足選択部６６から足データの入力を受け付ける。この場合、足データベース７２に記憶された足データを利用することができる。
【００３４】
また、インソール設計部６４は、端末９０又は入力装置５４から靴の型番の入力を受け付け、入力を受け付けた靴の型番と関連付けて記憶されている靴データを靴データベース７０から読み出す。
【００３５】
（２）  次いで、靴の内部空間の内周面と足との間に形成される隙間の三次元形状を算出する（Ｓ１２）。詳しくは、インソール設計部６４は、入力を受け付けた足データと、読み出した靴データとに基づいて、図５及び図６の説明図に示すように、靴の内部空間３０に足２が配置される状態において内部空間３０の内周面と足２との間に形成される隙間３８の三次元形状を算出する。このとき、靴２０の内部空間３０の後端面３４に足２の踵６が対向し、靴の内部空間３０の天面３２に足２の甲４が対向するように空間シミュレーションを行って、隙間３８の三次元形状を算出する。隙間３８は、主として、内部空間３０の底面３６と足２の足裏５との間と、足２の指先３のまわりとに形成される。
【００３６】
足データが、平面上に立った状態での足の三次元形状のデータである場合には、靴２０の内部空間３０に沿うように足２が曲がることを考慮して、隙間３８の三次元形状を算出してもよい。靴下の厚みを考慮し、靴の内部空間３０と足２との間に一定の厚みが介在するものとして空間シミュレーションを行ってもよい。足２の一部が内部空間３０から多少はみ出る場合には、内部空間３０が足２に沿って変形するものとして、隙間３８を算出してもよい。
【００３７】
空間シミュレーションは、インソール設計部６４が自動的に実行しても、設計者が操作することによって実行してもよい。例えば、表示装置５２に表示される内部空間３０と足２の三次元形状を見ながら、設計者が適宜に三次元画像を動かしながら行ってよい。いずれの場合でも、インソール設計部６４は、隙間３８の三次元形状を算出する。
【００３８】
（３）  次いで、インソールの初期形状を決定する（Ｓ１４）。詳しくは、インソール設計部６４は、算出した隙間３８の三次元形状に基づいて、例えば図７の説明図に示すように、インソール１０の初期形状を決定する。このとき、インソール設計部６４が、表示装置５２にインソール１０の初期形状を表示するためのデータを生成し、表示装置５２にデータを送信し、表示装置５２にインソールの初期形状が表示されるようにしてもよい。
【００３９】
インソール１０の初期形状は、予め定めたルールに従って決定される。例えば、インソール１０の裏面１０ｔの形状は、靴２０の内部空間３０の底面３６に対応して決める。インソール１０の表面１０ｓの形状は、足裏５に接する部分の隙間３８の三次元形状と同じであっても、足裏５に接する部分の隙間３８の三次元形状を予め定めたルールに従って変形した形状であってもよい。
【００４０】
（４）  次いで、インソールの初期形状を変更する設計パラメータの入力を受け付ける（Ｓ１６）。設計パラメータは、確定するまで、数値を変更することができる（Ｓ１８でＮ）。詳しくは、インソール設計部６４は、入力装置５４から、インソール１０の初期形状を変更する設計パラメータの入力を受け、入力を受け付けた設計パラメータに応じて、インソールの初期形状を修正した三次元形状を算出する。例えば、図７に示したインソール１０の表面１０ｓの隆起している部分１０ａ，１０ｂ，１０ｃや窪んでいる部分１０ｄの寸法や形状、位置などについて定義されている設計パラメータが初期値から変更されると、インソール設計部６４は、設計パラメータの変更に応じて、対応する部分の寸法や形状、位置などを変更する。設計パラメータに応じて、インソールの前後や左右の厚みに差が生じて、インソール１０の表面１０ｓに傾きが生じるようにしてもよい。
【００４１】
設計パラメータを適宜に選択することによって、インソールの部分ごとに最適な厚みや形状を決定することができ、靴の内部空間の内周面と足との間の隙間にインソールが最適に充填されるように、インソールを設計することができる。足の自然状態での形状や歩いたときの足の動きなどを総合的に考慮して設計パラメータを選択すると、インソールと靴の組み合わせによって足が理想状態に保持されるようにすることができる。
【００４２】
インソール設計部６４が設計パラメータの入力を受け付けた後に、インソール設計部６４が、インソールの修正された三次元形状を表示装置５２に表示するためのデータを生成し、表示装置５２にデータを送信し、表示装置５２にインソールの修正された三次元形状が表示されるようにしてもよい。
【００４３】
また、インソール設計部６４が、隙間３８の三次元形状から、設計パラメータに応じて修正されたインソール１０の三次元形状を差し引くことによって、靴２０にインソール１０を敷いた状態で足のまわりにできる隙間（インソール使用時の隙間）を算出し、インソール使用時の隙間の三次元形状又はその代表値を表示装置５２に表示するためのデータを生成してもよい。この場合、表示装置５２に表示されるインソール使用時の隙間の三次元形状又はその代表値を参照することによって、インソール１０の設計が容易になる。
【００４４】
（５）  設計パラメータが確定すると（Ｓ１８でＹ）、インソール１０を加工するための加工データを生成する（Ｓ２０）。詳しくは、インソール設計部６４は、入力装置５４から、設計パラメータを確定する入力（例えば、所定文字の入力）を受け付けると、確定したインソール１０の三次元形状に基づいて、インソール１０を構成する部材を加工するための加工データ（例えば、インソールの基材を削り出す際に加工機で用いるＮＣデータ）を生成し、出力装置５６や通信装置５８を介して、加工機に伝達する。
【００４５】
例えば、加工データ（ＮＣデータ）を用いて基材の表面に凹凸を加工した後、基材の表面に仕上げ材を貼り付け、基材の裏面に補強材を貼り付けることによって、インソールを作製する。
【００４６】
以上に説明したインソール設計システム５０を用いると、選択された靴２０の靴データと、その靴の使用者の足データとに基づいて、インソール１０を設計、製造し、選択された靴２０と、製造されたインソール１０とを組み合わせることができる。靴２０の内部空間３０の内周面と足２との間に形成される隙間３８（あるいは、内部空間３０内において足２のまわりに形成される隙間３８）の三次元形状を考慮して、インソール１０の設計パラメータを選択することによって、靴２０と組み合わせたときに足２が所望の状態に保持されるようにインソール１０を設計することができる。
【００４７】
足データベース７２は、足の識別子と、複数の足データ（足の三次元形状のデータ）とを関連付けて記憶するようにしてもよい。例えば、足の識別子と、（ｉ）平面（例えば、透明板）の上に被測定者が立ち被測定者の足裏が平面に圧着した加圧状態での両足の三次元形状の計測データである加圧状態足データと、（ii）平面に被測定者の足裏が軽く接した無加圧状態、又は足が平面から離れ空中に浮いた無加圧状態の両足の三次元形状の計測データである無加圧状態足データとを関連付けて記憶するようにしてもよい。この場合、インソール設計システム５０のインソール設計部６４は、以下のように、種々の態様で、複数の足データを利用することができる。
【００４８】
第１の態様では、インソール設計システム５０のインソール設計部６４は、無加圧状態足データの足裏形状と一致するように、インソールの表面の初期形状を決定し、無加圧状態足データと加圧状態足データとの差分を演算し、演算した差分に係数を乗じた補正成分を、無加圧状態足データに加えて補正後三次元形状データを算出し、補正後三次元形状データの足裏形状と一致するように、インソールの表面の初期形状を補正する。係数は、追加された複数の設計パラメータによって設定され、足の部位によって異なる値を選択することができるようにする。
【００４９】
第２の態様では、インソール設計システム５０のインソール設計部６４は、加圧状態足データの足裏形状と一致するように、インソールの表面の初期形状を決定し、無加圧状態足データと加圧状態足データとの差分を演算し、演算した差分に係数を乗じた補正成分を、加圧状態足データに加えて補正後三次元形状データを算出し、補正後三次元形状データの足裏形状と一致するように、インソールの表面の初期形状を補正する。係数は、追加された複数の設計パラメータによって設定され、足の部位によって異なる値を選択することができるようにする。
【００５０】
無加圧状態と加圧状態の両方について足の三次元形状を計測した足データを使用することにより、個人差や用途に応じて、最適な形状のインソールを作製することが容易になる。また、足の部位によって補正成分を変え、部分ごとにインソールの形状を最適化することができる。
【００５１】
実施例１の靴とインソールの組み合わせ方法は、以下のように構成されている。
【００５２】
靴とインソールの組み合わせ方法は、（ｉ）複数の靴２０の内部空間３０の三次元形状のデータである靴データが蓄積された靴データベース７０を準備する第１の工程と、（ii）靴データベース７０に靴データが蓄積された複数の靴から一つの靴を選択し、選択された靴の靴データを靴データベース７０から読み出す第２の工程と、（iii）選択された靴の使用者の足２の三次元形状のデータである足データを準備する第３の工程と、（iv）読み出した靴データと準備した足データとに基づいて、靴２０の内部空間３０に足２が配置された状態で、内部空間３０内において足２のまわりに形成される隙間３８の三次元形状を算出し、隙間３８に配置されるようにインソール１０の三次元形状を決定する第４の工程と、（ｖ）決定された三次元形状のインソール１０を製造する第５の工程と、（vi）選択された靴２０と、製造されたインソール１０とを組み合わせる第６の工程と、を備える。
【００５３】
実施例１の靴とインソールの組み合わせ方法によれば、靴２０とインソール１０を組み合わせたときに足２が所望の状態に保持されるようにすることができ、足２、靴２０、インソール１０のトータルのバランスを最適化し、機能面やデザイン面で優れた靴２０とインソール１０の組み合わせを提供することができる。
【００５４】
第３の工程において、予め足データが蓄積された足データベース７２から、選択された靴の使用者の足データを読み出すことによって、足データを準備してもよい。この場合、足データベース７２に記憶された足データを、インソール１０の設計に利用することができる。
【００５５】
＜実施例２＞  実施例２の靴２０ａについて、図８及び図９を参照しながら説明する。図８は、実施例２の靴２０ａの説明図である。図９は、一般の靴２０ｓの説明図である。
【００５６】
図９に示すように、一般の靴２０ｓのサイズは、靴２０ｓの内底２２に足裏５を置いた状態において、靴２０ｓに適合する（すなわち、靴２０ｓの内部空間３０の内周面に適切に沿う）と想定される足２の足長と、足囲又は足幅とに基づいて決められている。そのため、足２の足長と、足囲又は足幅とに応じてサイズが選択された靴２０ｓにインソールを敷くと足２が窮屈になり、実施例１のインソール設計システムを用いて適切なインソールを設計することが難しい場合がある。そのため、インソールを敷く場合には、大きめのサイズの靴２０ｓを選択する必要がある。
【００５７】
しかしながら、どの程度大きめのサイズにすればよいかの判断が難しい。また、大きめのサイズの靴２０ｓは、足２のまわりに靴２０ｓが適切に沿う状態からずれるため、好ましくない。
【００５８】
そこで、実施例２の靴２０ａは、図８に示すように、予め決められた厚みの基準インソール２４を敷いた状態で履くと適合すると想定される足２の足長と、足囲又は足幅とに基づいて、サイズが決定されている。すなわち、靴２０ａのサイズは、靴２０ａの内底２２に基準インソール２４を敷き、基準インソール２４の上面２６に足裏５を置いた状態で、靴２０ａに適合すると想定される足２の足長と、足囲又は足幅とに基づいて決定される。
【００５９】
このような靴２０ａは、例えば、図９のような一般の靴２０ｓを製造するときに用いる{通常の靴型（木型、ラスト）のうち靴の内底に対向する部分に所定の厚みの補助材（例えば、３ｍｍ程度の革）を貼り付けた状態、又はその状態に対応する形状の専用の靴型を用いて、製造する。そして、製造した靴２０ａのサイズは、通常の靴型を用いて製造される一般の靴２０ｓのサイズと同じとする。
【００６０】
基準インソール２４は、靴２０ａに敷くと仮定されるものであり、実在しても、実在しなくても構わない。例えば、通常の靴型に補助材を貼り付けて靴２０ｓを製造する場合には、基準インソール２４は、補助材の厚みに対応する仮想的なものとなる。
【００６１】
基準インソール２４は、靴２０ａに応じて適宜な寸法・形状を仮定すればよく、靴２０ａの内底２２の全体に配置されるものでも、一部分のみに配置されるものでも構わない。例えば、パンプスや紳士靴など、デザイン上、靴２０ａの内部空間３０を狭くしたい場合には、足裏５の一部分にのみ対向するハーフタイプの基準インソール（例えば、土ふまず８よりも踵６側にのみに対向するように靴２０ａの内底２２に配置され、指先３側には配置されない基準インソール）を仮定しても構わない。
【００６２】
実施例２の靴２０ａのサイズを、足２の足長と、足囲又は足幅とに応じて選択すると、足２の甲４や踵６のまわりに靴２０ａの内部空間３０の内周面が適切に沿う状態を保ちつつ、靴２０ａの内部空間３０に、基準インソール２４に相当する空間が確保される。そのためで、靴２０ａと組み合わせたときに足２が所望の状態に保持されるようにインソールを設計することが容易である。また、靴２０ａは、インソールと組み合わせるのに好適なサイズを容易に選択することができる。
【００６３】
＜まとめ＞  以上に説明したインソール設計システムは、靴と組み合わせたときに足が所望の状態に保持されるようにインソールを設計することができる。
【００６４】
なお、本発明は、上記実施の形態に限定されるものではなく、種々変更を加えて実施することが可能である。
【００６５】
例えば、足選択部６６や足データベース７２を備えない構成としてもよい。
【符号の説明】
【００６６】
１０  インソール
２０，２０ａ，２０ｓ  靴
２２  内底
２４  基準インソール
３０  内部空間
３８  隙間
５０  インソール設計システム
６４  インソール設計部
６６  足選択部
７０  靴データベース
７２  足データベース
【図１】
2017057388.tif 000003
【図２】
2017057388.tif 000004
【図３】
2017057388.tif 000005
【図４】
2017057388.tif 000006
【図５】
2017057388.tif 000007
【図６】
2017057388.tif 000008
【図７】
2017057388.tif 000009
【図８】
2017057388.tif 000010
【図９】
2017057388.tif 000011
【国際調査報告】
2017057388.tif 000012
2017057388.tif 000013
2017057388.tif 000014
2017057388.tif 000015